(57)【要約】【課題】録画中にシーンのインデックスとなる静止画像をリアルタイムに表示できる、新規な録画装置を提供する。【解決手段】デジタルテレビ放送電波を受信してデコードしたデジタル動画ストリームデータから、リアルタイムでＡＶＣ動画ファイルと、静止画像が埋め込まれたＱＶＧＡ動画ファイルにトランスコード処理ができるハードウェアのトランスコーダを利用して、録画モニタ中にリアルタイムでフィルムロール領域７０３の表示を更新し、更には追いかけ再生もできる。したがって、本実施形態の録画装置によって、テレビ録画の利便性は著しく向上する。【選択図】図１
2011229064.tif 000002
【特許請求の範囲】
【請求項１】
テレビジョン放送を受信して受信動画像データストリームを出力するチューナユニットと、
前記受信動画像データストリームの画像サイズを縮小すると共に、シーンの静止画像データを一定時間間隔で埋め込んだ縮小動画像データストリームを出力する縮小トランスコード部と、
前記縮小動画像データストリームを録画の結果である縮小動画像データファイルとして格納するストレージと、
動画像を表示する表示部と、
前記縮小動画像データストリームから前記静止画像データを取り出して予め定めた時間間隔の録画済みシーンの静止画を前記表示部に表示するＧＵＩ作成部と
を具備する録画装置。
【請求項２】
前記ＧＵＩ作成部は、前記録画の最中に前記受信動画像データストリームを用いた録画モニタ画面と、前記静止画を前記表示部に同時に表示する、請求項１記載の録画装置。
【請求項３】
更に、
前記受信動画像データストリームから前記縮小動画像データストリームより画面サイズが大きい録画用動画像データストリームを出力し、前記ストレージに録画の結果である標準動画像データファイルとして格納させる標準トランスコード部と、
前記標準動画像データファイルを再生する標準動画像デコーダと、
前記チューナユニットと、前記縮小トランスコード部と、前記ストレージと、前記ＧＵＩ作成部と、前記標準トランスコード部と、前記標準動画像デコーダとを制御する制御部と、
前記制御部に指示を発行する操作部と
を備え、
前記制御部は、前記操作部の指示によって前記表示部に表示されている前記静止画を指定すると、前記標準動画像デコーダを制御して、前記静止画の録画経過時間から前記標準動画像データファイルを再生させる、請求項２記載の録画装置。
【請求項４】
現在録画中の動画ストリームの現在の録画時間を取得する録画時間取得ステップと、
前記録画時間が録画開始直後か又は最終静止画時間から所定時間を経過した場合に、前記動画ストリームに含まれている現在の静止画像を取得する静止画像取得ステップと、
前記静止画像取得ステップの時点の現在時間を前記最終静止画時間に天気する最終静止画時間転記ステップと、
録画モニタ表示画面に前記静止画像を描画する静止画像描画ステップと
を有する録画モニタ画面表示方法。
【請求項５】
テレビジョン放送を受信して受信動画像データストリームを出力する受信動画像データストリーム出力ステップと、
前記受信動画像データストリームの画像サイズを縮小すると共に、シーンの静止画像データを一定時間間隔で埋め込んだ縮小動画像データストリームを出力する縮小トランスコードステップと、
前記縮小動画像データストリームを録画の結果である縮小動画像データファイルとして格納する縮小動画像データファイル格納ステップと、
前記受信動画像データストリームに基づく動画像を表示する表示ステップと、
前記縮小動画像データストリームから前記静止画像データを取り出して予め定めた時間間隔の録画済みシーンの静止画を前記表示部に表示する静止画表示ステップと
を有する録画モニタ画面表示方法。
【請求項６】
テレビジョン放送を受信して受信動画像データストリームを出力するチューナユニットと、
前記受信動画像データストリームの画像サイズを縮小すると共に、シーンの静止画像データを一定時間間隔で埋め込んだ縮小動画像データストリームを出力する縮小トランスコード部と、
前記縮小動画像データストリームを録画の結果である縮小動画像データファイルとして格納するストレージと、
動画像を表示する表示部と
を有するコンピュータを、
前記縮小動画像データストリームから前記静止画像データを取り出して予め定めた時間間隔の録画済みシーンの静止画を前記表示部に表示するＧＵＩ作成部と
を具備する録画装置として機能させる録画プログラム。
【請求項７】
前記ＧＵＩ作成部は、前記録画の最中に前記受信動画像データストリームを用いた録画モニタ画面と、前記静止画を前記表示部に同時に表示する、請求項６記載の録画プログラム。
【請求項８】
前記録画プログラムは更に、前記コンピュータを
前記受信動画像データストリームから前記縮小動画像データストリームより画面サイズが大きい録画用動画像データストリームを出力し、前記ストレージに録画の結果である標準動画像データファイルとして格納させる標準トランスコード部と、
前記標準動画像データファイルを再生する標準動画像デコーダと、
前記チューナユニットと、前記縮小トランスコード部と、前記ストレージと、前記ＧＵＩ作成部と、前記標準トランスコード部と、前記標準動画像デコーダとを制御する制御部と、
前記制御部に指示を発行する操作部と
を備える録画装置として動作させると共に、
前記制御部は、前記操作部の指示によって前記表示部に表示されている前記静止画を指定すると、前記標準動画像デコーダを制御して、前記静止画の録画経過時間から前記標準動画像データファイルを再生させる、請求項７記載の録画プログラム。
【発明の詳細な説明】
【技術分野】
【０００１】
本発明は、録画装置、録画モニタ画面表示方法及び録画プログラムに関する。
より詳細には、テレビジョン放送の録画中に、録画済み動画のインデックスをリアルタイムで表示し、更新する機能を備える録画装置に関する。
【背景技術】
【０００２】
今日、テレビジョン放送はデジタル化が進み、録画装置はかつてのビデオテープレコーダからハードディスクレコーダやパーソナルコンピュータ（以下「パソコン」と略）に替わっている。デジタルテレビ放送は動画像データの情報量が非常に多いので、ハードディスクレコーダやパソコンの録画装置では、動画像圧縮技術を用いて、画質をなるべく損なわずにデータ量を低減することが行われている。
【０００３】
また、特にパソコンの録画装置では、ソフトウェアのバージョンアップが容易であることから、ソフトウェアの機能を向上させることで容易に使い勝手を向上させることができる。
なお、本発明に類似すると思われる先行技術を特許文献１、特許文献２、特許文献３及び特許文献４に示す。
【先行技術文献】
【特許文献】
【０００４】
【特許文献１】特開２００３−１１６１０４号公報
【特許文献２】特許第３２４６６０１号公報
【特許文献３】特許第３２４６６０２号公報
【特許文献４】特開２００２−２１８４０３号公報
【発明の概要】
【発明が解決しようとする課題】
【０００５】
本出願人が製造販売するパソコンを用いた録画装置では、録画済みの動画ファイルから所定の時間間隔の静止画像を作成して、録画番組の見たいシーン、すなわち動画ファイルの任意の再生位置から再生するための機能を提供していた。この機能を本出願人は、フィルムのようにシーンのインデックスとなる静止画像を表示することから「フィルムロール機能」と呼んでいる。
このフィルムロール機能は、パソコン自体の処理能力の限界のため、録画中にフィルムロール機能を提供することができなかった。
【０００６】
本発明はかかる課題を解決し、録画中にシーンのインデックスとなる静止画像をリアルタイムに表示できる、新規な録画装置、録画モニタ画面表示方法及び録画プログラムを提供することを目的とする。
【課題を解決するための手段】
【０００７】
上記課題を解決するために、本発明の録画装置は、テレビジョン放送を受信して受信動画像データストリームを出力するチューナユニットと、受信動画像データストリームの画像サイズを縮小すると共に、シーンの静止画像データを一定時間間隔で埋め込んだ縮小動画像データストリームを出力する縮小トランスコード部と、縮小動画像データストリームを録画の結果である縮小動画像データファイルとして格納するストレージと、動画像を表示する表示部と、縮小動画像データストリームから静止画像データを取り出して予め定めた時間間隔の録画済みシーンの静止画を表示部に表示するＧＵＩ作成部とを具備する。
【０００８】
デジタルテレビ放送電波を受信してデコードしたデジタル動画ストリームデータから、リアルタイムで静止画像が埋め込まれた縮小動画像データストリームへトランスコード処理ができる縮小トランスコード部を利用して、録画モニタ中にリアルタイムで予め定めた時間間隔の録画済みシーンの静止画を表示部に同時に表示する。
【発明の効果】
【０００９】
本発明により、録画中にシーンのインデックスとなる静止画像をリアルタイムに表示できる、新規な録画装置、録画モニタ画面表示方法及び録画プログラムを提供できる。
【図面の簡単な説明】
【００１０】
【図１】本実施形態に係る録画装置の外観図である。
【図２】録画装置のハードウェアの構成を示すブロック図である。
【図３】録画装置の機能ブロック図である。
【図４】ＱＶＧＡサイズのＭＰＥＧー４データストリームのフォーマットを示す概略図である。
【図５】コンテンツテーブルの概略図である。
【図６】ＧＵＩ作成部が実行する、録画モニタ時の画面を形成する処理のフローチャートである。
【図７】表示部に表示される録画モニタ画面の概略図である。
【図８】録画の進行に伴うフィルムロール領域の変化を示す概略図である。
【図９】表示部に表示されるビデオ一覧画面の概略図である。
【図１０】表示部に表示されるビデオ一覧画面の概略図である。
【発明を実施するための形態】
【００１１】
図１は、本実施形態に係る録画装置の外観図である。
録画装置１０１は、液晶ディスプレイを備える本体１０２と、キーボード１０３と、マウス１０４よりなる。録画装置１０１の実体は液晶ディスプレイ一体型の、周知のパソコンである。勿論、録画装置１０１は液晶ディスプレイと一体型でなくてもよい。
図２は、録画装置１０１のハードウェアの構成を示すブロック図である。
一般的なパソコンである録画装置１０１は、バス２０１にＣＰＵ２０２、ＲＯＭ２０３、ＲＡＭ２０４、ハードディスク装置等の不揮発性のストレージ２０５、グラフィックカードとも呼ばれるビデオインターフェース２０６、オーディオインターフェース２０７、そしてキーボード及びマウス等のポインティングデバイスである操作部２０８が接続されている。
ビデオインターフェース２０６には液晶ディスプレイである表示部２０９が接続されている。
オーディオインターフェース２０７にはスピーカ２１０が接続されている。
【００１２】
バス２０１にはテレビチューナカード２１１も接続されている。テレビチューナカード２１１には、チューナユニット２１２とトランスコーダ２１３が設けられている。
チューナユニット２１２は、デジタルテレビ放送電波を受信する同調回路と、デジタルテレビ放送電波からデジタルビデオ信号及びデジタル音声信号を復調する復調回路を内蔵する。
チューナユニット２１２はアンテナ２１４を通じてデジタルテレビ放送電波を受信してＭＰＥＧ−２規格に準拠するデジタル動画ストリームデータを出力する。
【００１３】
トランスコーダ２１３は、チューナユニット２１２から出力される、デジタルテレビ放送電波として受信したＭＰＥＧ−２ストリームデータを、デコード処理を行わずにリアルタイムでＭＰＥＧ−４規格に準拠するデジタル動画ストリームデータに変換する処理を行い、解像度の異なる二種類のＭＰＥＧ−４規格動画ストリームデータを出力する。またその際、二種類のＭＰＥＧ−４規格動画ストリームデータのそれぞれに暗号化処理も施す。
【００１４】
図３は、録画装置１０１の機能ブロック図である。なお、説明を容易にするため、動画データの音声部分の説明については省略している。
パソコンである録画装置１０１は、周知のＯＳとパソコンを録画装置１０１として機能させるためのアプリケーションプログラムがインストールされており、これらＯＳとアプリケーションプログラムが動作することで、図３に示す録画装置１０１としての機能が発揮される。
【００１５】
チューナユニット２１２は、アンテナ２１４を通じてデジタルテレビ放送電波を受信して復調処理を行い、フルＨＤサイズのＭＰＥＧ−２ストリームデータを出力する。
このＭＰＥＧ−２ストリームデータはＡＶＣトランスコード部３０１とＱＶＧＡトランスコード部３０２とＧＵＩ作成部３０３に供給される。
【００１６】
標準トランスコード部ともいえるＡＶＣトランスコード部３０１は、制御部３０４から録画の指令を受けると、入力されるフルＨＤサイズのＭＰＥＧ−２ストリームデータを、フルＨＤサイズのままＭＰＥＧ−４ストリームデータにトランスコードして、暗号化処理を施す。
【００１７】
縮小トランスコード部ともいえるＱＶＧＡトランスコード部３０２は、制御部３０４から録画の指令を受けると、入力されるフルＨＤサイズのＭＰＥＧ−２ストリームデータを、「ＱｕａｒｔｅｒＶＧＡ」つまりＶＧＡ（６４０ドット×４８０ライン）の四分の一の画素数である３２０ドット×２４０ラインのサイズに縮小した、ＭＰＥＧ−４ストリームデータにトランスコードして、暗号化処理を施す。また、ＱＶＧＡトランスコード部３０２は、このトランスコード処理の際、ＭＰＥＧ−４ストリームデータのＧＯＰ（Group Of Pictures：０．５秒、１５フレーム）毎に周知のＪＰＥＧフォーマットの，ＱＶＧＡサイズの静止画像データを生成し、ＭＰＥＧ−４ストリームデータ中に含めて出力する。
【００１８】
ＡＶＣトランスコード部３０１が出力する録画用動画像データストリームともいえるフルＨＤサイズのＭＰＥＧ−４ストリームデータと、ＱＶＧＡトランスコード部３０２が出力する縮小動画像データストリームともいえるＱＶＧＡサイズのＭＰＥＧ−４ストリームデータは、ＯＳに備わっているファイルシステム３０５を通じて、ストレージ２０５へ送られ、動画ファイルが形成される。
【００１９】
フルＨＤサイズのＭＰＥＧ−４ストリームデータは、ストレージ２０５内に設けられたＡＶＣファイル格納部３０６に送られて、標準動画像データファイルともいえるＡＶＣ動画ファイルが形成される。
ＱＶＧＡサイズのＭＰＥＧ−４ストリームデータは、ストレージ２０５内に設けられたＱＶＧＡファイル格納部３０７に送られて、縮小動画像データファイルともいえるＱＶＧＡ動画ファイルが形成される。
【００２０】
制御部３０４は、操作部２０８或はストレージ２０５に格納されている図示しない録画予約情報に従って、ＡＶＣトランスコード部３０１とＱＶＧＡトランスコード部３０２とファイルシステム３０５に録画指令を発する。
【００２１】
制御部３０４は録画指令として、ＡＶＣトランスコード部３０１及びＱＶＧＡトランスコード部３０２に対しては、トランスコード処理の開始の指示を行う。
【００２２】
制御部３０４は録画指令として、ファイルシステム３０５に対してはＡＶＣファイル格納部３０６にＡＶＣ動画ファイルを新規に作成し、ＱＶＧＡファイル格納部３０７に対してはＱＶＧＡ動画ファイルを新規に作成し、コンテンツテーブル３０８に対しては、録画予約情報から得た番組情報に、ＡＶＣ動画ファイルのファイル名及びＱＶＧＡ動画ファイルのファイル名を対応付けたレコードを追記録する。
【００２３】
ファイルシステム３０５に格納されているＡＶＣ動画ファイルは、標準動画像デコーダともいえるＡＶＣデコーダ３０９によって暗号の復号化処理とデコード処理が行われる。ＡＶＣデコーダ３０９が出力する動画データストリームはＧＵＩ作成部３０３に送られる。
同様に、ファイルシステム３０５に格納されているＱＶＧＡ動画ファイルは、ＱＶＧＡデコーダ３１０によって暗号の復号化処理とデコード処理が行われる。ＱＶＧＡデコーダ３１０が出力する動画データストリームもＧＵＩ作成部３０３に送られる。
なお、ＱＶＧＡデコーダ３１０は録画中にＱＶＧＡトランスコード部３０２から送られるＱＶＧＡサイズのＭＰＥＧー４ストリームデータもデコードする。更に、ＱＶＧＡデコーダ３１０はデコードの際、ＱＶＧＡ動画ファイルに埋め込まれている静止画データも一緒にＧＵＩ作成部３０３に送る。
【００２４】
ＧＵＩ作成部３０３は、表示部２０９にＧＵＩ（Graphical User Interface）と動画を表示するための画面データを形成する。
ＧＵＩ作成部３０３は制御部３０４によって制御され、録画を伴わないテレビの視聴の場合には、チューナユニット２１２が出力するＭＰＥＧー２ストリームデータをそのまま表示部２０９へ送り出す。録画の場合には、モニタ画面としてチューナユニット２１２が出力するＭＰＥＧー２ストリームデータをそのまま表示部２０９へ送り出すと共に、ＱＶＧＡデコーダ３１０が出力する静止画データも間欠的に取得して画面データに含める。再生の場合には、ユーザが操作部２０８を操作して選択したＡＶＣ動画ファイル又はＱＶＧＡ動画ファイルを、ＡＶＣデコーダ３０９又はＱＶＧＡデコーダ３１０が再生する。
【００２５】
ＱＶＧＡ動画ファイルは、動画データの画面サイズが小さいので、携帯型ゲーム機や携帯型ビデオ再生装置等のハードウェア資源が限られた携帯機器３１１でも再生できる。そこで、ファイルシステム３０５はＵＳＢインターフェース３１２を通じて接続される携帯機器３１１を、着脱可能な「ＵＳＢストレージ」として認識し、ユーザが操作部２０８を操作することで、ＱＶＧＡ動画ファイルをストレージ２０５から携帯機器３１１へ移動できるように、アプリケーションプログラムは構成されている。
【００２６】
図４は、ＱＶＧＡサイズのＭＰＥＧー４データストリームのフォーマットを示す概略図である。また、この概略図はＱＶＧＡ動画ファイルのフォーマットでもある。
ＱＶＧＡサイズのＭＰＥＧー４データストリームには、１フレーム毎に時間情報４０１と動画データ４０２が組になって格納されている。時間情報４０１は、動画データストリームの先頭位置から経過した時間を示す情報である。動画データ４０２は１フレームの画像に相当するデータである。
静止画データ４０３は前述の通り、ＪＰＥＧフォーマットの、ＱＶＧＡサイズの静止画像データであり、ＭＰＥＧ−４フォーマットのユーザ領域内に格納される。この静止画データ４０３は１５フレーム毎、つまり１ＧＯＰ毎に設けられる。
【００２７】
図５は、コンテンツテーブル３０８の概略図である。
「番組名」フィールドは、録画した番組の番組名称（タイトル）が格納される。
「録画日時」フィールドは、録画した番組の日時情報が格納される。
「チャンネル」フィールドは、録画した番組のチャンネル情報が格納される。
「録画モード」フィールドは、番組を録画した動画ファイルの録画品質及び画面の大きさに関する情報が格納される。
「移動可否フラグ」フィールドは、番組を録画した動画ファイルが、ストレージ２０５から他の携帯機器３１１へ移動することが許されるか否かを示すフラグ情報が格納される。
「ファイル名」フィールドは、番組を録画した動画ファイルのファイル名が格納される。
【００２８】
［フィルムロール機能］
本実施形態の録画装置１０１は、録画モニタ時において、表示部２０９が表示するテレビ放送の動画像の下に、所定の時間間隔の静止画像をリアルタイムで表示する機能を備えている。
本来、この機能は録画済みの動画ファイルから所定の時間間隔の静止画像を作成して、録画番組の見たいシーン、すなわち動画ファイルの任意の再生位置から再生するための機能であった。この機能を本出願人は、フィルムのようにシーンのインデックスとなる静止画像を表示することから「フィルムロール機能」と呼んでいる。
【００２９】
従来の録画装置１０１では、録画を終了した後に、録画済みの動画ファイルから静止画像を作成していた。録画の最中にシーンを推測するための静止画像を作成することは、録画装置１０１を構成するパソコンの処理能力（ハードウェアスペック）の点から不可能であった。しかし、本実施形態の録画装置１０１は、トランスコーダ２０３がリアルタイムで、ＪＰＥＧフォーマットの静止画像データが含まれたＱＶＧＡサイズのＭＰＥＧー４ストリームデータを作成してくれる。
そこで、録画の最中にＱＶＧＡサイズのＭＰＥＧー４ストリームデータから静止画像データをデコードすれば、録画モニタ中にリアルタイムに「フィルムロール」を形成することができる。
【００３０】
図６は、ＧＵＩ作成部３０３が実行する、録画モニタ時の画面を形成する処理のフローチャートである。
処理を開始すると（Ｓ６０１）、ＧＵＩ作成部３０３は最初にＱＶＧＡサイズのＭＰＥＧー４ストリームデータから時間情報４０１を取得する（Ｓ６０２）。
取得した時間が「０秒」、つまり録画の一番最初の時点であれば（Ｓ６０３のＹＥＳ）、ＧＵＩ作成部３０３は現在のフレームの静止画データ４０３を取得する（Ｓ６０４）。
次に、ＧＵＩ作成部３０３は現在の録画時間をＲＡＭ２０４に設けた変数「最終静止画時間」に転記する（Ｓ６０５）。そして、シーンのインデックスとなる静止画の集合体であるフィルムロール領域７０３の再描画を行い（Ｓ６０６）、処理を終了する（Ｓ６０７）。
【００３１】
また、ステップＳ６０３で、取得した時間が「０秒」でなくても、ステップＳ６０５の時点で更新した「最終静止画時間」から予め定めた所定時間（ｎ秒）を経過したのであれば（Ｓ６０８のＹＥＳ）、ステップＳ６０４、ステップＳ６０３のＹＥＳの場合と同様に、Ｓ６０５及びＳ６０６の処理を行い、終了する（Ｓ６０７）。
ステップＳ６０２において取得した時間が、ステップＳ６０５の時点で更新した「最終静止画時間」から予め定めた所定時間（ｎ秒）を経過していないのであれば（Ｓ６０８のＮＯ）、何もせずに終了する（Ｓ６０７）。
ステップＳ６０７で一旦終了しても、本フローは再びステップＳ６０１に戻って、繰り返し実行される。
【００３２】
図７は、表示部２０９に表示される録画モニタ画面の概略図である。
画面中央のモニタ領域７０２には、現在放送中の番組の動画像が表示されている。
モニタ領域７０２のすぐ下には、フィルムロール領域７０３が設けられている。フィルムロール領域７０３には、ＱＶＧＡサイズのＭＰＥＧー４ストリームデータから取得した静止画データ４０３を更に縮小して、時間情報４０１と共に並べて表示している。図７では、フィルムロール領域７０３内の静止画像は３０秒間隔で表示されている。
フィルムロール領域７０３のすぐ下には、現在の放送時間を示すタイムライン７０４が表示されている。録画予約をしている場合、予め録画する時間は判っているので、現時点が録画開始からどの程度時間が経過したかを示す。
タイムライン７０４のすぐ下には、操作パネル７０５が設けられている。この操作パネル７０５に表示されているボタンを、マウス等のポインティングデバイスでクリックすることで、録画装置１０１に対して種々の操作を行う。
【００３３】
なお、図７の録画モニタ画面７０１は、通常のテレビ視聴画面を兼用する。その場合、フィルムロール領域７０３は表示されない。
【００３４】
図８（ａ）、（ｂ）及び（ｃ）は、録画の進行に伴うフィルムロール領域７０３の変化を示す概略図である。なお、図８（ａ）、（ｂ）及び（ｃ）は、図７と同様、静止画表示間隔を３０秒としている。
図８（ａ）は、録画時間が１分から１分２８秒に至る迄の時点における、フィルムロール領域７０３の表示状態である。フィルムロール領域７０３には「００：００：００」、「００：００：２９」そして「００：００：５９」の時点の静止画像が表示されている。
【００３５】
図８（ｂ）は、録画時間が２分から２分２８秒に至る迄の時点における、フィルムロール領域７０３の表示状態である。フィルムロール領域７０３には「００：００：００」、「００：００：２９」、「００：００：５９」の時点に加え、更に「００：０１：２９」及び「００：０１：５９」の静止画像が表示されている。
この時点で、フィルムロール領域７０３は表示可能な静止画像で埋められている。これ以降の時間の静止画像はフィルムロール領域７０３の右端に表示されると共に、それまでフィルムロール領域７０３の左端に表示されていた静止画像は、フィルムロール領域７０３から消滅する。
【００３６】
図８（ｃ）は、録画時間が１５分２９秒から１５分５８秒に至る迄の時点における、フィルムロール領域７０３の表示状態である。録画の進行に連れて、新しい静止画像はフィルムロール領域７０３の右端から現れると共に、古い静止画像はフィルムロール領域７０３の左端から消滅する。この結果、フィルムロール領域７０３には「００：１３：２９」、「００：１３：５９」、「００：１４：２９」、「００：１４：５９」そして「００：１５：２９」の時点の静止画像が表示されている。
【００３７】
このようにして表示されるフィルムロール領域７０３の静止画像は、録画中の動画ファイルに対して任意の再生位置から再生する「追いかけ再生」のためのインデックスとなる。
制御部３０４はフィルムロール領域７０３を形成する際に、静止画像と、これに対応する時間情報４０１をＲＡＭ２０４に展開している。静止画像をクリックすると、制御部３０４は静止画像に対応する時間情報４０１をＲＡＭ２０４から読み取り、ＡＶＣデコーダ３０９を制御して、ＡＶＣ動画ファイルを指定された時間情報の再生位置から読み出して、再生処理を行う。
【００３８】
［動画ファイル移動機能］
本実施形態の録画装置１０１は、テレビチューナカード２１１のトランスコーダ２０３が二種類のトランスコード処理を同時に行うので、一度の録画でフルＨＤサイズのＡＶＣ動画ファイルと、ＱＶＧＡサイズのＱＶＧＡ動画ファイルを同時に形成することができる。このうち、ＱＶＧＡ動画ファイルは携帯型ゲーム機や携帯型ビデオ再生装置等のハードウェア資源が限られた携帯機器３１１でも再生できる。
【００３９】
そこで、ファイルシステム３０５はＵＳＢインターフェース３１２を通じて接続される携帯機器３１１を、着脱可能な「ＵＳＢストレージ」として認識し、ユーザが操作部２０８を操作することで、ＱＶＧＡ動画ファイルをストレージ２０５から携帯機器３１１へ移動できるように、アプリケーションプログラムは構成されている。
【００４０】
その際、ユーザに対して「ＱＶＧＡ動画ファイルは携帯機器３１１へ移動できる」こと、及び「ＱＶＧＡ動画ファイルでない動画ファイルは携帯機器３１１へ移動できない」ことを、ＧＵＩ画面上で明確に示す必要がある。
【００４１】
図９は、表示部２０９に表示されるビデオ一覧画面の概略図である。図７の録画モニタ画面７０１或は通常のテレビ視聴画面を表示している状態で、操作パネル７０５に設けられている「ビデオ一覧」ボタン７０６を押す（マウス等のポインティングデバイスでクリックする）と、図９に示すビデオ一覧画面９０１が表示部２０９に表示される。
【００４２】
ビデオ一覧画面９０１の上側には、操作ボタン領域９０２が設けられている。図９を見て判るように操作ボタン領域９０２には、マウス等で選択した動画ファイルを再生するための「再生」ボタン９０２ａ、録画予約を行うための「番組予約」ボタン９０２ｂ、ユーザの録画装置１０１の録画履歴情報に基づいて、ユーザの嗜好に合致していると推定できる番組の録画予約情報を自動的に作成してユーザに提示する「おまかせ・まる録」ボタン９０２ｃ、テレビの視聴を行う「テレビ」ボタン９０２ｄ、番組表を閲覧する「番組表」ボタン９０２ｅ、アプリケーションプログラムの各種設定を行う「設定」ボタン９０２ｆが設けられている。
【００４３】
操作ボタン領域９０２の下の左側には、媒体一覧領域９０３が設けられている。そしてその右側にはファイル一覧領域９０４が設けられている。媒体一覧領域９０３に表示されているアイコンをクリックして選択すると、当該アイコンとタイトル文字がハイライト表示されると共に、ファイル一覧領域９０４にはアイコンに関連付けられた動画ファイルのアイコンが一覧表示される。図９では、「おでかけ番組」アイコン９０３ａがハイライト表示されている。
【００４４】
最上段の「番組」アイコン９０３ｂは、ＡＶＣ動画ファイルをファイル一覧領域９０４に一覧表示するためのアイコンである。
「おでかけ番組」アイコン９０３ａは、ＱＶＧＡ動画ファイルをファイル一覧領域９０４に一覧表示するためのアイコンである。
【００４５】
「携帯機器」アイコン９０３ｃは、録画装置１０１のＵＳＢインターフェース３１２に携帯機器３１１が接続されている時に、その携帯機器３１１の名称と、Ｗｉｎｄｏｗｓ（登録商標）における論理ドライブ名を表示すると共に、この「携帯機器」アイコン９０３ｃをクリックして選択すると、当該携帯機器３１１に格納されているＱＶＧＡ動画ファイルをファイル一覧領域９０４に一覧表示するためのアイコンである。なお、「携帯機器」アイコン９０３ｃは、録画装置１０１に携帯機器３１１が接続されていない時は、媒体一覧領域９０３には表示されない。
【００４６】
「お気に入りフォルダー」アイコン９０３ｄは、ユーザが自らの嗜好に応じて「番組」アイコン９０３ｂに属するＡＶＣ動画ファイル或は「おでかけ番組」アイコン９０３ａに属するＱＶＧＡ動画ファイルを格納する場所を示すアイコンであり、またこのアイコンをクリックすることで、当該動画ファイルの一覧をファイル一覧領域９０４に一覧表示するためのアイコンである。
【００４７】
ＧＵＩ作成部３０３が表示するビデオ一覧画面９０１上の、媒体一覧領域９０３のアイコンをクリックすると、制御部３０４は当該アイコンに関連付けられる動画ファイルの種類を判定し、コンテンツテーブル３０８を検索する。
【００４８】
「番組」アイコン９０３ｂをクリックすると、制御部３０４はコンテンツテーブル３０８の「移動可否フラグ」フィールドの値が論理の「偽」であるレコードを絞り込み検索し、得られたレコードの内容に従って、ファイル一覧領域９０４に表示する情報をＧＵＩ作成部３０３に引き渡す。
【００４９】
「おでかけ番組」アイコン９０３ａをクリックすると、制御部３０４はコンテンツテーブル３０８の「移動可否フラグ」フィールドの値が論理の「真」であるレコードを絞り込み検索し、得られたレコードの内容に従って、ファイル一覧領域９０４に表示する情報をＧＵＩ作成部３０３に引き渡す。
【００５０】
ファイル一覧領域９０４の下には、ステータス表示領域９０５が設けられている。ステータス表示領域９０５には、媒体一覧領域９０３で「おでかけ番組」アイコン９０３ａをクリックして選択することでハイライト表示させた状態にのみ表示される「書き出し先」プルダウンメニュー９０５ａ及び「転送開始」ボタン９０５ｂと、媒体一覧領域９０３の選択状態に関わらず常時表示される容量表示バー９０５ｃが設けられている。
【００５１】
前述の通り、図９は「おでかけ番組」アイコン９０３ａがハイライト表示されている状態のビデオ一覧画面９０１である。この状態において、ファイル一覧領域９０４に表示されているＱＶＧＡ動画ファイルのアイコンを一つ或は複数クリックして選択すると、選択されたＱＶＧＡ動画ファイルのアイコンがハイライト表示される。
【００５２】
この、ＱＶＧＡ動画ファイルのアイコンがハイライト表示されている状態で、ステータス表示領域９０５の「書き出し先」プルダウンメニュー９０５ａに表示されている、録画装置１０１に現在接続されている携帯機器３１１を選択して、「転送開始」ボタン９０５ｂを押すと、制御部３０４は選択されたＱＶＧＡ動画ファイルをコンテンツテーブル３０８から読み取り、「移動可否フラグ」フィールドの値が「真」であるレコードであることを確認した上で、選択されたＱＶＧＡ動画ファイルを指定された携帯機器３１１の図示しないストレージ２０５に移動する。またその際、制御部３０４はコンテンツテーブル３０８のＱＶＧＡ動画ファイルに該当するレコードも、携帯機器３１１の内部の図示しないストレージ２０５に設けられている図示しない携帯用コンテンツテーブルに移動する。
【００５３】
また、図９の「おでかけ番組」アイコン９０３ａがハイライト表示されている状態において、ファイル一覧領域９０４に表示されているＱＶＧＡ動画ファイルのアイコンを直接「携帯機器」アイコン９０３ｃにドラッグ＆ドロップ操作することで、選択したＱＶＧＡ動画ファイルを携帯機器３１１に移動することもできる。
【００５４】
図１０は、表示部２０９に表示されるビデオ一覧画面９０１の概略図である。図９のビデオ一覧画面９０１で、媒体一覧領域９０３の「番組」アイコン９０３ｂをクリックしてハイライト表示させた状態の図である。
一見すると図９と同じように見えるが、制御部３０４は「番組」アイコン９０３ｂのクリックを受けて、ステータス表示領域９０５には「書き出し先」プルダウンメニュー９０５ａ及び「転送開始」ボタン９０５ｂを表示しないようにＧＵＩ作成部３０３を制御する。このため、ファイル一覧領域９０４に表示されているアイコンは、ＡＶＣ動画ファイルを示すアイコンであり、これら動画ファイルは携帯機器３１１には移動できない。このことを明示するため、ステータス表示領域９０５には「書き出し先」プルダウンメニュー９０５ａ及び「転送開始」ボタン９０５ｂが表示されず、また媒体一覧領域９０３中、「携帯機器」アイコン９０３ｃの表示が薄く表示される。
【００５５】
したがって、ファイル一覧領域９０４に表示されているＡＶＣ動画ファイルのアイコンをクリックして選択しても、「転送開始」ボタン９０５ｂはないので、携帯機器３１１には転送できない。更に、ＡＶＣ動画ファイルのアイコンを「携帯機器」アイコン９０３ｃへドラッグ＆ドロップしても、制御部３０４は当該アイコンに関連付けられるＡＶＣ動画ファイルの「移動可否フラグ」フィールドの値が「偽」であることを確認し、ＡＶＣ動画ファイルが移動できないことを示す、アイコンが元の場所に戻ってしまうアニメーション表示を行う。
【００５６】
本実施形態は、以下のような応用例が可能である。
（１）縮小動画像データファイルは、ＱＶＧＡ動画ファイルに限らない。同様に、標準動画像データファイルは、ＡＶＣ動画ファイルに限らない。これら動画ファイルのコーデックには周知のＨ．２６４が用いられているが、ＷＭＶ、ＶＰ６、Ｔｈｅｏｒａ等、様々なコーデックが利用可能である。コンテナについても同様で、ＭＰ４コンテナに限らず、ＡＶＩ、Ｏｇｇ、Ｍａｔｒｏｓｋａ、３ＧＰＰ、３ＧＰＰ２等の様々な動画コンテナフォーマットが利用可能である。
【００５７】
（２）本実施形態の録画装置では、トランスコーダ２１３は特定のフォーマットの動画トランスコードを行うハードウェアである。このトランスコーダ２１３にＦＰＧＡを採用し、プログラマブルに構成することで、前述の複数のコーデックやコンテナを選択可能にすることもできる。
【００５８】
本実施形態では、録画装置を開示した。
デジタルテレビ放送電波を受信してデコードしたデジタル動画ストリームデータから、リアルタイムでＡＶＣ動画ファイルと、静止画像が埋め込まれたＱＶＧＡ動画ファイルにトランスコード処理ができるハードウェアのトランスコーダを利用して、録画モニタ中にリアルタイムでフィルムロール領域７０３の表示を更新し、更には追いかけ再生もできる。したがって、本実施形態の録画装置によって、テレビ録画の利便性は著しく向上する。また録画モニタ中にリアルタイムでフィルムロール領域７０３の表示が更新されることで、ユーザには録画が進行している状態を視覚的に訴えることもでき、また視覚的な楽しさも提供できる。
【００５９】
更に、本実施形態の録画装置は、一度の録画作業で、携帯機器へ移動できないＡＶＣ動画ファイルと、携帯機器へ移動できるＱＶＧＡ動画ファイルを同時に作成できる。つまり、一度の録画作業で、全く同じ番組名の動画ファイルが二つできることとなる。このため、ユーザが携帯機器へ動画ファイルを移動する際に、動画ファイルの選択を間違わないユーザインターフェースが必要になる。そこで、本実施形態の録画装置は、コンテンツテーブルに動画ファイルを携帯機器へ移動することの可否を示すフラグフィールドを設け、このフラグフィールドに基づいて動画ファイルの選択画面を区別した。本実施形態の録画装置によって、携帯機器で動画再生を楽しむユーザに対し、動画ファイルの選択を誤ることなく、簡単に動画ファイルの移動を実行できるので、良好な利便性を提供できる。
【００６０】
以上、本発明の実施形態例について説明したが、本発明は上記実施形態例に限定されるものではなく、特許請求の範囲に記載した本発明の要旨を逸脱しない限りにおいて、他の変形例、応用例を含む。
【符号の説明】
【００６１】
１０１…録画装置、２０１…バス、２０２…ＣＰＵ、２０３…ＲＯＭ、２０４…ＲＡＭ、２０５…ストレージ、２０６…ビデオインターフェース、２０７…オーディオインターフェース、２０８…操作部、２０９…表示部、２１０…スピーカ、２１１…テレビチューナカード、２１２…チューナユニット、２１３…トランスコーダ、２１４…アンテナ、３０１…ＡＶＣトランスコード部、３０２…ＱＶＧＡトランスコード部、３０３…ＧＵＩ作成部、３０４…制御部、３０５…ファイルシステム、３０６…ＡＶＣファイル格納部、３０７…ＱＶＧＡファイル格納部、３０８…コンテンツテーブル、３０９…ＡＶＣデコーダ、３１０…ＱＶＧＡデコーダ、３１１…携帯機器、３１２…ＵＳＢインターフェース、４０１…時間情報、４０２…動画データ、４０３…静止画データ、７０１…録画モニタ画面、７０２…モニタ領域、７０３…フィルムロール領域、７０４…タイムライン、７０５…操作パネル、７０６…ボタン、９０１…ビデオ一覧画面、９０２…操作ボタン領域、９０３…媒体一覧領域、９０４…ファイル一覧領域、９０５…ステータス表示領域
【図１】
2011229064.tif 000003
【図２】
2011229064.tif 000004
【図３】
2011229064.tif 000005
【図４】
2011229064.tif 000006
【図５】
2011229064.tif 000007
【図６】
2011229064.tif 000008
【図７】
2011229064.tif 000009
【図８】
2011229064.tif 000010
【図９】
2011229064.tif 000011
【図１０】
2011229064.tif 000012